(57)【特許請求の範囲】
【請求項１】
トレイから原稿を送り出す給紙装置において、
プラスチック製の開閉可能なガイド部材としての上部フレームと、
前記上部フレームをロックするロックレバーと、
前記ロックレバーが取り付けられるロックレバーシャフトと、
前記上部フレームに配置された給紙ローラのローラ軸と、
前記ローラ軸に対して、支持アームを介して揺動可能に支持されたピックアップローラと、
前記ピックアップローラの支持アームを上向きに付勢するアームスプリングと、
を有し、
前記アームスプリングは導電性部材からなり、その一端が前記ロックレバーシャフトに係止され、前記ロックレバーシャフトが接地されていることを特徴とする給紙装置。
【請求項２】
前記装置は、自動原稿搬送装置の原稿トレイから、原稿を送り出すために設けられるものであることを特徴とする請求項１に記載の給紙装置。
【発明の詳細な説明】
【０００１】
本発明は、プラスチック製のカバー部材に支持されるローラ軸に対する接地手段を設けた給紙装置に関し、特に、給紙装置のローラ軸の接地を、アースに接続されているロック用のシャフトに対して設けてなる装置に関する。
【０００２】
【従来の技術】
ファクシミリ装置や複写機等の装置において、原稿や用紙を送るための給紙装置は、プラスチック製のフレームにローラ等を支持させて設けることが多くある。前記装置のフレームをプラスチックにより構成することによって、開閉可能なカバー部材等を一体成形することが可能であり、そのカバー部材に対してローラの軸等を支持させるような機構を設けることによって、軸支部の構成を簡素化することができる。そして、前述したように構成したカバー部材に用紙搬送装置のローラ部材を支持させることにより、前記カバー部材を開閉した場合にも、ローラ部材の位置決めを容易に行うことができるという利点を発揮可能となる。
【０００３】
【発明が解決しようとする課題】
ところが、前述したようなプラスチック製のフレームに対して、ローラ軸等を支持させる機構を用いる場合には、プラスチックが絶縁体であることから、金属製のフレームのように容易に接地を設けにくいという問題がある。そこで、ローラ軸等の接地を行うために、軸受け部に金属部材を取り付けて、その金属部材にアース線を接続すること等の手段が用いられる場合も多くあるが、そのような接地手段を用いることは、装置の部品点数が多くなることと、余分な電線が増えること等から好ましいものではない。
【０００４】
本発明は、前記プラスチック製のフレームに支持される軸に対する接地を容易に設定可能にするもので、特に、揺動可能なローラの軸を付勢するために設けたスプリング部材を介して設定可能にすることを目的としている。
【０００５】
【課題を解決するための手段】
本発明は、トレイから原稿を送り出す給紙装置に関する。
請求項１の発明は、プラスチック製の開閉可能なガイド部材としての上部フレームと、前記上部フレームをロックするロックレバーと、前記ロックレバーが取り付けられるロックレバーシャフトと、前記上部フレームに配置された給紙ローラのローラ軸と、前記ローラ軸に対して、支持アームを介して揺動可能に支持されたピックアップローラと、前記ピックアップローラの支持アームを上向きに付勢するアームスプリングと、を有し、
前記アームスプリングは導電性部材からなり、その一端が前記ロックレバーシャフトに係止され、前記ロックレバーシャフトが接地されていることを特徴とする。
請求項２の発明は、前記装置は、自動原稿搬送装置の原稿トレイから、原稿を送り出すために設けられるものであることを特徴とする。
【０００６】
前述したように構成したことにより、本発明においては、ピックアップローラの支持アームを揺動させるアームスプリングを導電性の材料で構成し、前記アームスプリングをを介してロックレバーシャフトと駆動軸とを電気的に接続するので、給紙ローラの軸を直接接地する必要がなく、接地回路を容易に形成できる。また、ロックレバーシャフトは非常に小さな範囲で回転するものであるから、そのシャフトに対して直接アース線を接続する場合にも、接地は確実に行われるものであり、接地のための部品点数を増加させることはない。
【０００７】
図示される例にしたがって、本発明の用紙搬送ローラの接地手段を設けてなる給紙装置を説明する。図１に示す例は、本発明の機構を適用可能な自動原稿搬送装置１の構成を示しており、前記自動原稿搬送装置１はファクシミリ装置や複写機等に使用される自動原稿搬送装置として構成される。前記自動原稿搬送装置１においては、原稿トレイ８にセットした原稿を、Ｕ字状に湾曲させて配置する原稿搬送路１０を通して搬送し、排出トレイ９に排出させるように構成している。そして、前記原稿搬送路１０内で原稿を搬送する途中で、プラテン６に対応させて配置している画像読取装置（図示を省略）により、原稿の画像を読取るようにしている。なお、前記プラテン６の原稿搬送路を挟んだ対向側には、シェーディング用白フィルム７を配置して、画像読取装置における画像濃度の調整に用いることができる。
【０００８】
前記自動原稿搬送装置１において、原稿搬送路１０を形成するガイド部材は、本体フレーム２と中間フレーム３および上部フレーム５にそれぞれ設けており前記上部フレーム５と中間フレーム３とは、本体フレーム２に設けた支軸４を介して揺動可能に設けられている。前記上部フレーム５には、本体フレーム２に設けた本体係止部材３５に対してロックレバー３０を係止させ、上部フレームを閉じた状態に維持させるロック機構を設けており、前記ロック機構においては、ロックレバー３０をロックレバーシャフト３１を介して支持し、ハンドル３２を用いて揺動させるように構成している。また、前記ロックレバー３０に対してスプリング３３を配置し、上部フレームを閉じた状態で、ロックレバー３０の本体係止部材３５に対する係止部を押圧保持させるようにしている。
【０００９】
前記各フレームには、原稿を原稿搬送路に沿わせて搬送するための搬送ローラ装置とガイド板とを配置しており、前記搬送ローラ装置は、原稿トレイ８側に配置される分離搬送装置と、原稿搬送路の中間部に配置する搬送ローラ装置、および、排出トレイ９に対応する排出ローラ装置１８とを設けている。前記各搬送ローラ装置のうち、上部フレーム５には給紙ローラ１３とピックアップローラ１１、および、搬送ローラ１５に対して原稿を押圧する押圧ローラ１６、１７をそれぞれ配置している。また、中間フレーム３には、前記給紙ローラ１３に対応して配置されるリタードローラ１４と、原稿搬送路内での原稿の搬送を行う搬送ローラ１５、および排出ローラ装置１８一方のローラを配置する。さらに、本体フレーム２には、排出ローラ装置１８のうちの、前記中間フレームに設けたものと対向する１つのローラのみを配置している。
【００１０】
前述したように構成してなる自動原稿搬送装置１において、原稿トレイ８にセットした原稿はピックアップローラ１１により取出され、給紙ローラ１３とリタードローラ１４による分離装置により１枚ずつ分離される。そして、原稿搬送路１０内で搬送される際に、搬送ローラ１５と押圧ローラ１６、１７の間でニップされながら搬送される。前記原稿はプラテン６の位置で画像読取装置により読取りが行われて、排出ローラ装置１８により排出トレイ９に向けて排出される。前記読取りの動作は、原稿トレイ８にセットされた原稿の全部について順次行い、その原稿の画像の読取り情報は、自動原稿搬送装置１を装備する画像形成装置の画像処理部に向けて伝達される。また、原稿トレイから原稿を送り出す動作を行うピックアップローラ１１は、支持アーム１２に支持されて、原稿の取り出しの最初の段階でのみ、原稿に押圧されるように構成されている。
【００１１】
前記上部フレームに配置されるローラ装置は、図２に示されるように構成されているもので、前記図２には上部フレーム５の底面図として示している。前記上部フレーム５においては、プラスチック製のフレームに対して、ピックアップローラ１１と給紙ローラ１３とを、それぞれフレームに一体に設けた軸受け部材を介して支持させている。また、上部フレームを本体フレームに対してロックするためのロック機構を構成するロックレバー３０を、ロックレバーシャフト３１に対して取り付け、前記ロックレバー３０を揺動させるためのハンドル３２をフレームの一方の側部の端部に配置している。前記ロックレバーシャフト３１には、アース線３６を接続し、図示を省略した装置本体の接地部材にアース線３６を接続しているが、前記ロックレバーシャフト３１に対して、ピックアップローラの接地をとるための機構に関しては、図３にしたがって説明する。
【００１２】
前記上部フレーム５には、ピックアップローラと給紙ローラの他に、搬送ローラに対応する押圧ローラを配置するが、それ等のローラの配置関係の説明は省略している。また、前記フレームは本体フレームとの間に支軸４を介して揺動可能に支持されるが、前記支軸４に対する接続部は図の下方端部付近に配置される。前記図２に示される例において、上部フレームに支持されるピックアップローラ１１は給紙ローラ１３の軸２０に対して支持アーム１２を介して揺動可能に支持されているもので、前記軸２０の回転に追従してピックアップローラ１１を所定の時間だけ原稿に押圧し、原稿トレイから原稿を取出す動作を行う。
【００１３】
前記ピックアップローラ１１を支持アーム１２を介して給紙ローラ１３に対して揺動可能に支持させ、ピックアップローラ１１を原稿に押圧しながら駆動して給紙の動作を行わせるための機構は、図３、４に示すように構成されている。前記給紙ローラ１３の駆動軸２０は、図示を省略した駆動装置に接続され、前記駆動軸２０と給紙ローラ１３の間には、駆動軸２０に一体に設けた固定部材２０ａと給紙ローラ１３のローラスリーブ２０ｃとの間に、コイルスプリングによる駆動伝導部材としてのバネ伝導部材２１を配置している。前記給紙ローラ１３はローラスリーブ２０ｃに支持されており、駆動軸２０とローラスリーブ２０ｃの間には、パイプ状の中間スリーブ２０ｂを設け、前記中間スリーブ２０ｂの端部に駆動ギヤ２２を取り付けている。そして、前記駆動軸２０と中間スリーブ２０ｂ、ローラスリーブ２０ｃは３重の同芯の軸部材として構成され、バネ伝導部材２１により覆われる部分には、前記固定部材２０ａと中間スリーブ２０ｂの端部および、ローラスリーブ２０ｃの端部が配置される。
【００１４】
前記駆動軸２０の他端部には、支持アーム１２の基部をフリーな回転を許容される状態に配置し、前記支持アームをアームスプリング２６により常時上向きに付勢させて設けている。前記支持アーム１２には中間ギヤ２３を押圧バネ２７によるフリクション機構を介して配置しており、前記駆動軸２０に設けた駆動ギヤ２２と、ピックアップローラ１１の被駆動ギヤ２４との間で、前記中間ギヤ２３が回転可能な状態にされた場合にのみ駆動力の伝達を行うようにする。また、前記原稿搬送路内で原稿を搬送するためのローラにおいては、図１に説明したように、給紙ローラ１３の速度がｖ１で、搬送ローラ１５の速度がｖ２に設定され、前記速度の関係はｖ１＜ｖ２となっている。
【００１５】
前記図３に示すピックアップローラの揺動と駆動を行う装置において、駆動軸２０が給紙方向に回転されるとバネ伝導部材２１が締まり、軸の回転力を固定部材２０ａから中間スリーブ２０ｂとローラスリーブ２０ｃに伝達するとともに、駆動ギヤ２２を回転させる。前記駆動ギヤ２２に噛合う中間ギヤ２３には、前記押圧バネ２７等によるフリクション機構を配置しているので、前記ギヤ２２の回転により中間ギヤ２３を下方に向けて揺動させる作用が行われる。そして、支持アーム１２の先端部に設けているピックアップローラ１１が原稿に押圧されるまで、前記支持アーム１２を揺動させ、その後で、ギヤ２２、２３、２４の噛合いによる駆動力の伝達作用が行われて、ピックアップローラ１１が給紙ローラ１３とともに駆動されて、トレイから原稿を送り出す動作が開始される。
【００１６】
本発明の自動原稿搬送装置において、前記図１に示されているように、原稿トレイから原稿がピックアップローラ１１により取出されてから、原稿搬送路１０内で給紙ローラ１３と搬送ローラ１５により搬送される状態となったときに、給紙ローラは搬送ローラにより搬送される原稿によって、駆動軸の速度よりも高速になり、その２つのローラの回転速度の差によって、バネ伝導部材２１を緩める作用が行われる。そして、給紙ローラ１３の回転と、支持アーム１２を下方に付勢する作用を解除するので、支持アーム１２がアームスプリング２６により上向きに揺動されて、ピックアップローラを原稿から離間させる方向に揺動させ、その後の原稿の搬送作用は、搬送ローラによってのみ行われる。
【００１７】
本発明の装置において、前記アームスプリング２６を導電性を有する任意の金属材料、例えば、鉄やリン青銅、その他のバネ性を有する材料を用いて構成し、駆動軸２０に対してバネのリング状の部分を支持させ、ロックレバーシャフト３１に対してアーム２６ｂを取り付けている。そして、前記ロックレバーシャフト３１に対して図２に示したようなアース線３６を接続していることにより、駆動軸２０とロックレバーシャフト３１との間では常時アースが接続された状態を維持できるので、前記駆動軸に対して直接接地する手段を設ける必要がない。また、本発明において、ピックアップローラの軸２５に対しても接地しようとする場合には、アーム２６ａの端部を軸２５に接触させるように折り曲げて配置することも可能であり、そのような接地手段を用いる場合には、ピックアップローラに対する接地も同時に設定が可能になる。
【００１８】
【発明の効果】
本発明の装置は、前述したように、ピックアップローラの支持アームを揺動させるアームスプリングを導電性の材料で構成し、前記アームスプリングを介してロックレバーシャフトと駆動軸とを電気的に接続するので、給紙ローラの軸を直接接地する手段を設ける必要がなく、前記シャフトに対して接地回路を容易に形成できる。また、ロックレバーシャフトは非常に小さな範囲で回転するものであるから、そのシャフトに対して直接アース線を接続する場合にも、接地は確実に行われるものであり、接地のための部品点数を増加させることはない。そして、前記ピックアップローラ等を開閉フレームに配置している場合にも、ローラ軸の接地を容易に形成でき、装置の構成を簡素化することができる。
【図面の簡単な説明】
【図１】  本発明の自動原稿搬送装置の構成を示す説明図である。
【図２】  図１の上部フレームの裏面図である。
【図３】  図２の上部フレームに配置する給紙装置の説明図である。
【図４】  図３の側面図である。
【符号の説明】
１    自動原稿搬送装置、  ２    本体フレーム、  ３    中間フレーム、
５    上部フレーム、  ８    原稿トレイ、  ９    排出トレイ、
１０    原稿搬送路、  １１    ピックアップローラ、
１２    支持アーム、  １３    給紙ローラ、  １５    搬送ローラ、
２０    駆動軸、  ２１    バネ伝導部材、  ２２〜２４    ギヤ、
２６    アームスプリング、  ２７    押圧バネ、  ３０    ロックレバー、
３１    ロックレバーシャフト、  ３２    ハンドル、  ３６    アース線。
【図１】
0003682566.tif 000002
【図２】
0003682566.tif 000003
【図３】
0003682566.tif 000004
【図４】
0003682566.tif 000005